(57)【要約】【課題】不凝縮性ガス除去によるアルミニウム製ヒートパイプの熱輸送性能を改善すること。【解決手段】凝縮部４の内壁面７の複数箇所に水素ガス除去材６が接触して嵌め込まれることによって、蒸気化した作動流体の流動を妨げず、また蒸気化した作動流体と凝縮部４との接触面積が確保できるように構成されている。また、不可避的に発生した水素ガスは、凝縮部４に設けられた水素ガス除去材６により水素ガスを水に酸化して除去できるように構成されている。これにより、水素ガスによるアルミニウム製ヒートパイプ１の熱輸送性能低下を防止または抑制できる。【選択図】図１
2010060206.tif 000002
【特許請求の範囲】
【請求項１】
気密状態に密閉されたアルミニウムから成るコンテナの内部表面にアルミニウムの不動体層が形成され、また該コンテナの内部に封入され、加熱されて蒸気化した作動流体が放熱することによって再凝縮される凝縮部に、前記作動流体と前記コンテナとが化学反応することによって生じる水素ガスを除去する水素ガス除去材が設けられているアルミニウム製ヒートパイプにおいて、
前記凝縮部の内壁面の複数箇所に、前記水素ガス除去材が接触して嵌め込まれ、前記嵌め込まれた前記水素ガス除去材と前記凝縮部の内壁面との間に空隙が設けられていること
を特徴とするアルミニウム製ヒートパイプ。
【請求項２】
前記コンテナの内部に配置され、前記コンテナとリング状に形成された前記水素ガス除去材に、突形状に形成され、リング状に形成された前記水素ガス除去材の外周に同心円状に配列された複数の前記水素ガス除去材の一方の端部が連結され、前記突形状に形成され、同心円状に配列された複数の前記水素ガス除去材の他方の端部が前記凝縮部の内壁面に接触して嵌め込まれ、前記リング状に形成された前記水素ガス除去材と前記凝縮部の内壁面との間もしくは前記突形状に形成され、リング状に形成された前記水素ガス除去材の外周に同心円状に配列された複数の前記水素ガス除去材間に空隙が設けられていること
を特徴とする請求項１に記載のアルミニウム製ヒートパイプ。
【請求項３】
前記凝縮部の内壁面に、内歯車形状に形成された前記水素ガス除去材が嵌め込まれていることを特徴とする請求項１に記載のアルミニウム製ヒートパイプ。
【請求項４】
前記水素ガス除去材は、酸化第二銅あるいは二酸化鉛あるいは過酸化バリウムのいずれかによって形成されていることを特徴とする請求項１ないし３のいずれかに記載のアルミニウム製ヒートパイプ。
【請求項５】
前記水素ガス除去材は、金属酸化物からなる多孔質体の表面に、酸化第二銅あるいは二酸化鉛あるいは過酸化バリウムのいずれかとを担持して構成されていることを特徴とする請求項４に記載のアルミニウム製ヒートパイプ。
【請求項６】
前記金属酸化物は、酸化アルミニウムあるいは酸化亜鉛のいずれかを含むことを特徴とする請求項５に記載のアルミニウム製ヒートパイプ。
【発明の詳細な説明】
【技術分野】
【０００１】
この発明は、アルミニウム製コンテナの内部に封入された凝縮性の作動流体の蒸発・凝縮の相変化によって熱を輸送するアルミニウム製ヒートパイプに関し、不可避的に生じる水素ガスを酸化第二銅によって酸化させて水を生成するように構成したアルミニウム製ヒートパイプに関するものである。
【背景技術】
【０００２】
周知のようにアルミニウム製ヒートパイプは、作動流体の蒸気化潜熱もしくは／また凝縮潜熱を利用して熱輸送をおこなう伝熱素子であり、密閉構造のコンテナの内部に凝縮性の流体を封入して構成されている。したがってコンテナは長期にわたって気密性を維持するものが好ましく、またそれ自体の熱伝導性が高いものが好ましい。そのため従来では、銅あるいは銅合金によってコンテナを形成するのが一般的である。また、外部からのわずかな入熱で作動流体が蒸発する必要があるので、コンテナの内部は高真空状態に維持する必要がある。
【０００３】
コンテナの材質に酸化アルミニウムを使用したアルミニウム製ヒートパイプでは、コンテナを形成しているアルミニウムと作動流体とが反応して非凝縮性の水素ガスが発生する場合がある。コンテナの内部に発生した水素ガスは、コンテナ内部の真空状態を低下させて、作動流体の蒸気化もしくは／また蒸気化した作動流体の流動を阻害してアルミニウム製ヒートパイプの熱輸送能力を低下させる。このような、ヒートパイプの熱輸送を阻害する水素ガスを除去できるように構成された例が下記の特許文献に記載されている。
【０００４】
特許文献１には、発生した水素を、コンテナに同封したタンタルとの親和性の高さを利用して除去する技術が記載されている。
【０００５】
特許文献２には、コンテナ内に封入した酸化第二銅により水素ガスを酸化させて水を生成することが記載されている。
【０００６】
また特許文献３には、酸化第二銅を水素ガスの酸化剤として使用する場合に、二酸化クロムを少量混入することで、水素ガスの除去率が向上することが記載されている。
【０００７】
さらにまた特許文献４には、コンテナ内に封入した二酸化鉛により水素ガスを酸化させて水を生成することが記載されている。
【０００８】
【特許文献１】米国特許第４，０４３，３８７号明細書
【特許文献２】米国特許第４，７８２，８９０号明細書
【特許文献３】米国特許第４，８８４，６２８号明細書
【特許文献４】米国特許第６，２０９，６２５号明細書
【発明の開示】
【発明が解決しようとする課題】
【０００９】
銅または銅合金によってコンテナを形成すれば、熱伝導性や気密性が良好になり、また加工性の良いヒートパイプを得ることができる。しかしながら、銅や銅合金はコストが高い傾向にある。そこで、銅などより安価で入手しやすいアルミニウムをコンテナに使用することが考えられるが、作動流体として水やアルコールを使用すると水素ガスが発生し、比較的短期に熱輸送能力が低下する虞がある。
【００１０】
その水素ガスを除去するために、上記の各特許文献に記載された技術を応用することが可能である。しかしながら、それらの特許文献に記載されているように、水素ガスを除去するための物質をコンテナの内部にパウダの形で保持するなどの構造では、倒置されるなど使用時の姿勢が変化するアルミニウム製ヒートパイプにあっては、パウダを安定的に保持できない虞がある。
【００１１】
この発明は、上記の技術的課題に着目してなされたものであり、水素ガス除去材を凝縮部の内壁に押圧させることによりコンテナに保持させて、水素ガスを酸化して水を生成するアルミニウム製ヒートパイプを提供することを目的とするものである。
【課題を解決するための手段】
【００１２】
上記の目的を達成するために、請求項１の発明は、気密状態に密閉されたアルミニウムから成るコンテナの内部表面にアルミニウムの不動体層が形成され、また該コンテナの内部に封入され、加熱されて蒸気化した作動流体が放熱することによって再凝縮される凝縮部に、前記作動流体と前記コンテナとが化学反応することによって生じる水素ガスを除去する水素ガス除去材が設けられているアルミニウム製ヒートパイプにおいて、前記凝縮部の内壁面の複数箇所に、前記水素ガス除去材が接触して嵌め込まれ、前記嵌め込まれた前記水素ガス除去材と前記凝縮部の内壁面との間に空隙が設けられていることを特徴とするものである。
【００１３】
請求項２の発明は、請求項１の発明において、前記コンテナの内部に配置され、前記コンテナとリング状に形成された前記水素ガス除去材に、突形状に形成され、リング状に形成された前記水素ガス除去材の外周に同心円状に配列された複数の前記水素ガス除去材の一方の端部が連結され、前記突形状に形成され、同心円状に配列された複数の前記水素ガス除去材の他方の端部が前記凝縮部の内壁面に接触して嵌め込まれ、前記リング状に形成された前記水素ガス除去材と前記凝縮部の内壁面との間もしくは前記突形状に形成され、リング状に形成された前記水素ガス除去材の外周に同心円状に配列された複数の前記水素ガス除去材間に空隙が設けられていることを特徴とするものである。
【００１４】
請求項３の発明は、請求項１の発明において、前記凝縮部の内壁面に、内歯車形状に形成された前記水素ガス除去材が嵌め込まれていることを特徴とするものである。
【００１５】
請求項４の発明は、請求項１ないし３の発明において、前記水素ガス除去材は、酸化第二銅あるいは二酸化鉛あるいは過酸化バリウムのいずれかによって形成されていることを特徴とするものである。
【００１６】
請求項５の発明は、請求項４の発明において、前記水素ガス除去材は、金属酸化物からなる多孔質体の表面に、酸化第二銅あるいは二酸化鉛あるいは過酸化バリウムのいずれかとを担持して構成されていることを特徴とするものである。
【００１７】
請求項６の発明は、請求項５の発明において、前記金属酸化物は、酸化アルミニウムあるいは酸化亜鉛のいずれかを含むことを特徴とするものである。
【発明の効果】
【００１８】
請求項１の発明によれば、水素ガス除去材が凝縮部の内壁面の複数箇所に、接触して嵌め込まれているので、アルミニウム製ヒートパイプに水素ガス除去材を組み込むことが容易となる。また水素ガス除去材と凝縮部の内壁面との間に空隙が設けられ、凝縮部の内壁が露出しているので、蒸気化した作動流体を再凝縮させる凝縮部の内壁面積を確保することができる。これによって、蒸気化した作動流体の再凝縮を阻害せず、また水素ガス除去材が再凝縮した作動流体によって覆われることを抑制することができる。さらに、水素ガス除去材によって不可避的に発生する水素ガスを除去することが可能となるので、水素ガスによるアルミニウム製ヒートパイプの熱輸送能力の低下、短寿命化を防止もしくは抑制することができる。さらにまた、水素ガス除去材がコンテナの内部空間に設けられるので、コンテナの内部空間を有効に活用できる。以上によって不可避的に発生する水素ガスを除去することが可能となることから、コンテナの材質にアルミニウムを用いることができ、銅や銅合金から成るヒートパイプと比較して、低コスト化および軽量化が図れる。
【００１９】
請求項２の発明によれば、請求項１の発明による効果と同様の効果に加えて、コンテナの内部空間を活用して水素ガス除去材と水素ガスとの接触面積を大きくすることができるので、効果的な水素ガス除去ができる。また、空隙が多数設けられているので、コンテナの内部に設けられた水素ガス除去材が蒸気化した作動流体の流動を阻害することを、抑制することができる。
【００２０】
請求項３の発明によれば、請求項１の発明による効果と同様の効果に加えて、水素ガス除去材と水素ガスとの接触面積を大きくすることができるので、効果的な水素ガス除去ができる。また、コンテナの内部空間の中心に水素ガス除去材が設けられていないので、水素ガス除去材が蒸気化した作動流体の流動を阻害することを、防止もしくは抑制することができる。
【００２１】
請求項４の発明によれば、請求項１ないし３のいずれかの発明による効果と同様の効果に加えて、水素ガス除去材は、酸化第二銅あるいは二酸化鉛あるいは過酸化バリウムのいずれかから形成されているので、アルミニウムから成るコンテナと作動流体との化学反応によって生じる水素ガスは酸化第二銅あるいは二酸化鉛あるいは過酸化バリウムによって酸化されて水になり、除去することができる。
【００２２】
請求項５の発明によれば、請求項４の発明による効果と同様の効果に加えて、水素ガス除去材は金属酸化物から成る多孔質体の表面に、酸化第二銅あるいは二酸化鉛あるいは過酸化バリウムのいずれかが担持されて形成されているので、凝縮部の内壁面に水素ガス除去材を設けた場合と比較して、水素ガスを酸化させる面積を大きくすることができる。また、水素ガス除去材を担持させる多孔質体は、金属酸化物から構成されているので、焼成などの加熱処理によって比較的容易に所望の形状に成形することができる。
【００２３】
請求項６の発明によれば、請求項５の発明による効果と同様の効果に加えて、多孔質体を構成する金属酸化物に所定量の酸化亜鉛あるいは酸化アルミニウムが含まれているので、焼成などの加熱処理を経ることによりそれら酸化金属の緻密な多孔質体を成形することができる。
【発明を実施するための最良の形態】
【００２４】
つぎにこの発明をより具体的に説明する。図１に、この発明に係るアルミニウム製ヒートパイプ１を模式的に示してある。アルミニウム製ヒートパイプ１のコンテナ２は、アルミニウム製のパイプ材を封止して中空密閉状態としたものである。このコンテナ２は、Ａ−Ａ’横断面が円形状をなすように構成されている。なお、扁平型のアルミニウム製ヒートパイプ１であってもよい。またコンテナ２の内部には、真空脱気された状態で、凝縮性の作動流体として純水あるいはアルコール類が封入されている。
【００２５】
このアルミニウム製ヒートパイプ１の一方の端部は、加熱されてコンテナ２の内部の作動流体を蒸発させる蒸発部３であり、他方の端部が放熱して作動流体を凝縮させる凝縮部４とされ、それらの中間部位が断熱部５とされている。
【００２６】
この発明に係るアルミニウム製ヒートパイプ１では、内外表面に酸化アルミニウムの不動態層を形成されているアルミニウムをコンテナ２に用い、純水を作動流体に用いている。また図１に示してあるアルミニウム製ヒートパイプ１は、重力を利用して作動流体の還流をおこなうサーモサイフォン式アルミニウム製ヒートパイプ１であるが、毛細管力を生じさせて作動流体の還流をおこなうウィック式アルミニウム製ヒートパイプであってもよい。このアルミニウム製ヒートパイプ１の内部には、凝縮部４の内壁面７の複数箇所に接触して、水素ガス除去材６が嵌め込まれている。
【００２７】
図２に、アルミニウム製ヒートパイプ１のＡ−Ａ’断面図を模式的に示してある。図２に示す水素ガス除去材６は、焼結によってＹ字型に成形した。ここで、水素ガス除去材６には、酸化亜鉛から成る多孔質体に、酸化第二銅（ＣｕＯ）を担持させた。なお、この発明においては、水素ガス除去材６として酸化第二銅（ＣｕＯ）の他に、二酸化鉛（ＰｂＯ２）あるいは過酸化バリウム（ＢａＯ２）を用いることができる。
【００２８】
この発明に係るアルミニウム製ヒートパイプ１の製造方法を説明する。先ず、アルミニウム製ヒートパイプ１の仕様に合わせて、所定の長さ、厚みのアルミニウムパイプを用意する。このアルミニウムパイプを炭化フッ素系の洗浄剤を用いて洗浄し、１００℃、１時間乾燥させる。洗浄したアルミニウムパイプは１〜３０ｖ／ｖ％過酸化水素水に、室温にて、２４時間浸してアルマイト処理し、アルミニウム表面に酸化アルミニウム被膜を形成させる。
【００２９】
アルマイト処理したアルミニウムパイプは一方の端部を閉塞し、有底円筒形状に成形される。この場合に、後述する方法によって製造された水素ガス除去材６を最終的に凝縮部４となるコンテナ２の内部に嵌め込む。次いでコンテナ２の体積、パイプの長さなどを考慮して所定量の純水をパイプ内に封入する。この場合に、純水の封入には、真空脱気法や蒸発追い出し法などの従来知られている方法を用いることができる。そして最後に仕様に合わせてパイプの他方の端部を溶接などにより閉塞する。
【００３０】
前述した水素ガス除去材６の製造方法を説明する。２５ｖ／ｖ％のペースト状の酸化亜鉛と７５ｖ／ｖ％のペースト状の酸化第二銅との混合物を型に流し込み、３５０℃にて、３０分間処理し、酸化亜鉛と酸化第二銅とを焼結させて、所望の形状の水素ガス除去材６を得る。ここで、前述した酸化亜鉛の変わりに酸化アルミニウムを用いてもよい。この時、水素ガス吸着材（図示せず）として、パラジウム、白金あるいはルテニウムをペーストに５ｖ／ｖ％混合してもよい。酸化第二銅を担持させた酸化亜鉛の多孔質体は、炭化フッ素系の洗浄剤を用いて洗浄し、１００℃、１時間乾燥させる。なお、二酸化鉛（ＰｂＯ２）あるいは過酸化バリウム（ＢａＯ２）を用いて水素ガス除去材６を形成させる場合は、前述した製造方法において、酸化第二銅との記載箇所を二酸化鉛もしくは過酸化バリウムに置き換えればよい。
【００３１】
この発明に係るアルミニウム製ヒートパイプ１の動作例について説明する。図２は、コンテナ２のＡ−Ａ’線の断面図である。図２に示した形状の水素ガス除去材６が封入されたアルミニウム製ヒートパイプ１では、図示しない発熱源から蒸発部３に熱が伝熱されると、コンテナ２の内部の純水が蒸発し、蒸気化した純水が温度および圧力の低い凝縮部４に流動する。凝縮部４に至った蒸気化した純水は、凝縮部４の内壁面７から放熱されて再凝縮して液化する。再凝縮した純水は、重力により蒸発部３へ還流される。この場合に、水素ガス除去材６と凝縮部４の内壁７との間に空隙８が設けられているので、蒸気化した純水の流動を妨げることがない。また、この発明に係るアルミニウム製ヒートパイプ１は、アルミニウム表面を過酸化水素水によりアルマイト処理を施してあるが、不可避的に、コンテナ２の内部に封入された純水が相変化を繰り返す場合に、コンテナ２のアルミニウムと純水とが反応して、水酸化アルミニウムが形成され、不凝縮性ガスである水素ガスが発生する場合がある。
２Ａｌ+６Ｈ２Ｏ→２Ａｌ（ＯＨ）３+３Ｈ２                  （１）
【００３２】
水酸化アルミニウムが図示しない発熱源からの熱を受熱して、酸化アルミニウムに変化する場合においても、水素ガスが発生する。
２Ａｌ（ＯＨ）３→Ａｌ２Ｏ３+３Ｈ２                        （２）
【００３３】
前述した（１）式もしくは／また（２）式に示した化学反応によって発生した水素ガスは、アルミニウム製ヒートパイプ１の内部の蒸気の流れと同様に、コンテナ２の内部の圧力差によって、凝縮部４に流動する。凝縮部４に到達した水素ガスは、水素ガス除去材６と接触して酸化され、水を生成して、蒸発部３へ還流される。水素ガスは下記反応式のように酸化されて水を生成する。
【００３４】
水素ガス除去材６に酸化第二銅を担持させた場合の水素ガスの酸化反応式を以下に示す。
ＣｕＯ+Ｈ２→Ｃｕ+Ｈ２Ｏ                                （３）
【００３５】
水素ガス除去材６に二酸化鉛を担持させた場合の水素ガスの酸化反応式を以下に示す。
ＰｂＯ２+Ｈ２→ＰｂＯ+Ｈ２Ｏ                              （４）
【００３６】
水素ガス除去材６に過酸化バリウムを担持させた場合の水素ガスの酸化反応式を以下に示す。
ＢａＯ２+Ｈ２→ＢａＯ+Ｈ２Ｏ                              （５）
【００３７】
すなわち、図２に示す構成のアルミニウム製ヒートパイプ１に、（１）式もしくは／また（２）式によって発生した水素ガスは、水素ガス除去材６によって（３）式ないし（５）式に示した酸化反応をおこなって水に酸化される。
【００３８】
この発明に係るアルミニウム製ヒートパイプ１に他の形状の水素ガス除去材６を用いた場合の動作例について説明する。なお、前述した構成と同様の構成部分については、同一の符号を付して、その説明を省略する。図３は、コンテナ２のＡ−Ａ’線の断面図である。図３に示した水素ガス除去材６は、蒸発部３からの蒸気化した純水の流動を妨げないように、その中央に空隙８が形成されている。また蒸気化した純水と凝縮部４との接触もしくは再凝縮した純水の還流を妨げないために、水素ガス除去材６と凝縮部４との間にも空隙８が形成されている。
【００３９】
図示しない発熱源から蒸発部３に熱が伝熱されると、コンテナ２の内部の純水が蒸発し、蒸気化した純水が凝縮部４に流動する。蒸気化した純水は、その熱が凝縮部４の内壁面７から放熱され再凝縮する。再凝縮した純水は、重力により蒸発部３へ還流される。この場合に、水素ガス除去材６と凝縮部４の内壁面７との間に空隙８が設けられているので、蒸気化した純水の流動を妨げることがない。また、（１）式もしくは／また（２）式によって発生した水素ガスは、水素ガス除去材６によって（３）式ないし（５）式に示した酸化反応をおこなって水に酸化される。
【００４０】
この発明に係るアルミニウム製ヒートパイプ１にさらに他の形状の水素ガス除去材６を用いた場合の動作例について説明する。なお、前述した構成と同様の構成部分については、同一の符号を付して、その説明を省略する。図４は、コンテナ２のＡ−Ａ’線の断面図である。図４に示した水素ガス除去材６は、蒸気化した純水の流動を妨げないように、その中央に空隙８が形成されている。また蒸気化した純水と凝縮部４との接触もしくは再凝縮した純水の還流を妨げないために、水素ガス除去材６と凝縮部４との間にも空隙８が形成されている。さらにまた、水素ガス除去材６は、水素ガスとの接触面積を拡大するために、コンテナ２の中心軸線および内壁面７に向けてひだ状かつ無端状に形成されている。
【００４１】
図示しない発熱源から蒸発部３に熱が伝熱されると、コンテナ２の内部の純水が蒸発し、蒸気化した純水が凝縮部４に流動する。蒸気化した純水は、その熱が凝縮部４の内壁面７から放熱され再凝縮する。再凝縮した純水は、重力により蒸発部３へ還流される。この場合に、水素ガス除去材６と凝縮部４の内壁面７との間に空隙８が設けられているので、蒸気化した純水の流動を妨げることがない。また、（１）式もしくは／また（２）式によって発生した水素ガスは、水素ガス除去材６によって（３）式ないし（５）式に示した酸化反応をおこなって水に酸化される。さらに、水素ガス除去材６のひだ形状によって、水素ガスと水素ガス除去材６との接触面積が確保されている。
【００４２】
水素ガス除去材６が酸化第二銅（ＣｕＯ）あるいは二酸化鉛（ＰｂＯ２）あるいは過酸化バリウム（ＢａＯ２）を担持していることにより、水素ガスを水に酸化させることができる。そしてまた、水素ガスを除去できることにより、アルミニウム製ヒートパイプ１の熱伝達効率の低下を防止もしくは抑制することができる。また、水素ガス吸着材をも使用した場合においては、水素ガス除去材６よりも水素ガスとの反応エネルギが低いことにより、水素ガス除去材６の反応エネルギに達しない場合においても、水素ガスを除去することができる。
【００４３】
なお、前述した実施例では、サーモサイフォン式アルミニウム製ヒートパイプ１を用いた例を示しているが、これに限定されることなく、作動流体の還流手段としてウィックおよび細溝を用いたアルミニウム製ヒートパイプであってもよい。また、この発明で「アルミニウム」あるいは「アルミニウム製」とは、アルミニウム合金あるいはアルミニウム合金製を含む。
【図面の簡単な説明】
【００４４】
【図１】この発明に係るアルミニウム製ヒートパイプを模式的に示す図である。
【図２】この発明における水素ガス除去材の一形状の断面を模式的に示す図である。
【図３】この発明における水素ガス除去材の他の形状の断面を模式的に示す図である。
【図４】この発明における水素ガス除去材のさらに他の形状の断面を模式的に示す図である。
【符号の説明】
【００４５】
１…アルミニウム製ヒートパイプ、  ２…コンテナ、  ４…凝縮部、  ６…水素ガス除去材、  ７…内壁面、  ８…空隙。
【図１】
2010060206.tif 000003
【図２】
2010060206.tif 000004
【図３】
2010060206.tif 000005
【図４】
2010060206.tif 000006